(57)【要約】      （修正有）【課題】端子を回り止めできるとともに製造工程での端子の誤組付を防止することができる蓄電装置を提供する。【解決手段】二次電池は、内部に電極組立体が収容されるケースと、ケースから突出し、先端にバスバーを固定するための雌ねじを有する凹部が設けられた正極端子３０と、ケースから突出し、先端にバスバーを固定するための雌ねじを有する凹部が設けられた負極端子３１と、を備える。正極端子３０の凹部に雌ねじとともに回り止め用の嵌合部７０が形成されるとともに負極端子３１の凹部に雌ねじとともに回り止め用の嵌合部７３が形成され、正極端子３０の嵌合部７０と負極端子３１の嵌合部７３とが非対称となっている。【選択図】図５
2015072877.tif 000002
【特許請求の範囲】
【請求項１】
内部に電極組立体が収容されるケースと、
前記ケースから突出し、先端にバスバーを固定するための雌ねじを有する凹部が設けられた正極端子と、
前記ケースから突出し、先端にバスバーを固定するための雌ねじを有する凹部が設けられた負極端子と、
を備えた蓄電装置において、
前記正極端子の凹部に前記雌ねじとともに回り止め用の嵌合部が形成されるとともに前記負極端子の凹部に前記雌ねじとともに回り止め用の嵌合部が形成され、前記正極端子の嵌合部と前記負極端子の嵌合部とを非対称としたことを特徴とする蓄電装置。
【請求項２】
前記正極端子の回り止め用の嵌合部と前記負極端子の回り止め用の嵌合部とを平面での形状を異ならせることにより非対称としたことを特徴とする請求項１に記載の蓄電装置。
【請求項３】
前記正極端子の回り止め用の嵌合部と前記負極端子の回り止め用の嵌合部とを平面での向きを変えることにより前記形状を異ならせたことを特徴とする請求項２に記載の蓄電装置。
【請求項４】
前記正極端子の回り止め用の嵌合部と前記負極端子の回り止め用の嵌合部とを縦断面での少なくとも一部の部位の深さを変えることにより非対称としたことを特徴とする請求項１に記載の蓄電装置。
【請求項５】
前記正極端子の回り止め用の嵌合部および前記負極端子の回り止め用の嵌合部は、治具が嵌合することを特徴とする請求項１〜４のいずれか１項に記載の蓄電装置。
【請求項６】
前記治具は、前記ケースに前記正極端子および前記負極端子を締結する際に前記正極端子の回り止め用の嵌合部および前記負極端子の回り止め用の嵌合部に嵌合するものであることを特徴とする請求項５に記載の蓄電装置。
【請求項７】
前記正極端子の外周面に形成された雄ねじ部に螺入され、前記正極端子を前記ケースに締結する正極端子用ナットと、
前記負極端子の外周面に形成された雄ねじ部に螺入され、前記負極端子を前記ケースに締結する負極端子用ナットと、
を有することを特徴とする請求項１〜６のいずれか１項に記載の蓄電装置。
【発明の詳細な説明】
【技術分野】
【０００１】
本発明は、蓄電装置に関するものである。
【背景技術】
【０００２】
特許文献１にはバッテリの電源線接続構造が開示されており、正極電源取出用端子と負極電源取出用端子とに形状の異なる切欠きを設けるとともに正極バッテリ接続用端子と負極バッテリ接続用端子に対し上記切欠きに嵌合可能な孔を形成している。これにより、正極バッテリ接続用端子と負極バッテリ接続用端子とを極性を取り違えて接続することなく、また、接続する際にバッテリ接続用端子が回ることを防止している。
【先行技術文献】
【特許文献】
【０００３】
【特許文献１】特開２００１−９３５１０号公報
【発明の概要】
【発明が解決しようとする課題】
【０００４】
ところで、特許文献１では、外部端子（外部接続線）との接続時に誤組付を防止するために端子の形状を変えているが、蓄電装置の製造工程の途中において端子の誤組付を防止する対策は提案されていない。また、特許文献１と異なり、正極電源取出用端子（以降、正極端子と称す）と負極電源取出用端子（以降、負極端子と称す）との形状が同一である場合にも、正極端子と負極端子とに用いられる材質（金属）は、異なる場合が多い。例えば、蓄電装置がリチウムイオン電池の場合、多くの場合において、正極端子はアルミ製又はアルミ合金製であり、負極端子は銅製又は銅合金製である。つまり、蓄電装置の左右に配される正負の電極端子について、端子を組み付ける時の誤組付対策を講じる必要があった。
【０００５】
本発明の目的は、端子を回り止めできるとともに製造工程での端子の誤組付を防止することができる蓄電装置を提供することにある。
【課題を解決するための手段】
【０００６】
上記課題を解決する蓄電装置では、内部に電極組立体が収容されるケースと、前記ケースから突出し、先端にバスバーを固定するための雌ねじを有する凹部が設けられた正極端子と、前記ケースから突出し、先端にバスバーを固定するための雌ねじを有する凹部が設けられた負極端子と、を備えた蓄電装置において、前記正極端子の凹部に前記雌ねじとともに回り止め用の嵌合部が形成されるとともに前記負極端子の凹部に前記雌ねじとともに回り止め用の嵌合部が形成され、前記正極端子の嵌合部と前記負極端子の嵌合部とを非対称としたことを要旨とする。
【０００７】
これによれば、正極端子の凹部に雌ねじとともに回り止め用の嵌合部が形成されるとともに負極端子の凹部に雌ねじとともに回り止め用の嵌合部が形成されているので、これら嵌合部を用いて端子を回り止めできる。また、正極端子の嵌合部と負極端子の嵌合部とが非対称となっているので、製造工程での端子の誤組付を防止することができる。
【０００８】
上記蓄電装置において、前記正極端子の回り止め用の嵌合部と前記負極端子の回り止め用の嵌合部とを平面での形状を異ならせることにより非対称とするとよい。
上記蓄電装置において、前記正極端子の回り止め用の嵌合部と前記負極端子の回り止め用の嵌合部とを平面での向きを変えることにより前記形状を異ならせるとよい。
【０００９】
上記蓄電装置において、前記正極端子の回り止め用の嵌合部と前記負極端子の回り止め用の嵌合部とを縦断面での少なくとも一部の部位の深さを変えることにより非対称とするとよい。
【００１０】
上記蓄電装置において、前記正極端子の回り止め用の嵌合部および前記負極端子の回り止め用の嵌合部は、治具が嵌合するとよい。
これによれば、端子を治具で支持する時に誤組付を防止することができる。
【００１１】
上記蓄電装置において、前記治具は、前記ケースに前記正極端子および前記負極端子を締結する際に前記正極端子の回り止め用の嵌合部および前記負極端子の回り止め用の嵌合部に嵌合するものであるとよい。
【００１２】
これによれば、ケースに正極端子および負極端子を締結する際に端子を治具で支持する時に誤組付を防止することができる。
上記蓄電装置において、前記正極端子の外周面に形成された雄ねじ部に螺入され、前記正極端子を前記ケースに締結する正極端子用ナットと、前記負極端子の外周面に形成された雄ねじ部に螺入され、前記負極端子を前記ケースに締結する負極端子用ナットと、を有するとよい。
【発明の効果】
【００１３】
本発明によれば、端子を回り止めできるとともに製造工程での端子の誤組付を防止することができる。
【図面の簡単な説明】
【００１４】
【図１】実施形態の二次電池を示す分解斜視図。
【図２】実施形態の二次電池の外観を示す斜視図。
【図３】二次電池の端子部分を示す断面図。
【図４】二次電池の平面図。
【図５】各極柱部にナットを螺合する状態および治具を示す分解斜視図。
【図６】二次電池の端子部分を示す断面図。
【図７】二次電池の斜視図。
【図８】電池パックを示す斜視図。
【図９】（ａ）は別例の二次電池を示す概略平面図、（ｂ）は（ａ）のＡ−Ａ線での概略断面図。
【図１０】（ａ）は別例の二次電池および治具を示す概略平面図、（ｂ）は（ａ）のＡ−Ａ線での概略断面図。
【図１１】（ａ）は別例の二次電池を示す概略平面図、（ｂ）は（ａ）のＡ−Ａ線での概略断面図。
【図１２】（ａ）は別例の二次電池および治具を示す概略平面図、（ｂ）は（ａ）のＡ−Ａ線での概略断面図。
【図１３】比較のための二次電池の平面図。
【発明を実施するための形態】
【００１５】
以下、蓄電装置を二次電池に具体化した一実施形態を図１〜図８にしたがって説明する。
なお、図面において、水平面を、直交するＸ，Ｙ方向で規定するとともに、上下方向をＺ方向で規定している。
【００１６】
図１〜図３に示すように、二次電池１０において、金属製のケース１１には電極組立体２０および電解液（図示せず）が収容されている。また、ケース１１は、上面開口部を有する直方体状のケース本体１２と、ケース本体１２の開口部を閉塞する矩形平板状の蓋体１３とを備える。ケース本体１２と蓋体１３は、何れも金属製（例えば、ステンレスやアルミニウム）であり、ケース本体１２と蓋体１３はレーザー溶接によって接合されている。また、本実施形態の二次電池１０は、その外周が角型をなす角型電池であり、リチウムイオン電池である。
【００１７】
電極組立体２０は、正極電極２１、負極電極２２、および正極電極２１と負極電極２２とを絶縁するセパレータを有する。正極電極２１は、正極金属箔（アルミニウム箔）の両面に正極活物質を備える。負極電極２２は、負極金属箔（銅箔）の両面に負極活物質を備える。そして、電極組立体２０は、複数の正極電極２１と複数の負極電極２２が交互に積層されるとともに、両電極の間にセパレータが介在された積層構造である。
【００１８】
正極電極２１は、一辺（長辺）の一部に正極集電タブ２３を有し、負極電極２２は、一辺（長辺）の一部に負極集電タブ２４を有する。複数の正極電極２１は、それぞれの正極集電タブ２３が積層方向に沿って列状に配置されるように積層される。同様に、複数の負極電極２２は、それぞれの負極集電タブ２４が、正極集電タブ２３と重ならないように積層方向に沿って列状に配置されるように積層される。電極組立体２０は、正極集電タブ２３を集めてなる正極タブ群２５を備える。この正極タブ群２５の少なくとも最外の正極集電タブ２３が、正極導電部材２６と溶接されており、正極タブ群２５が電極組立体２０における正極端子３０への接続部となる。また、電極組立体２０は、負極集電タブ２４を集めてなる負極タブ群２７を備える。この負極タブ群２７の少なくとも最外の負極集電タブ２４が負極導電部材２８と溶接されており、負極タブ群２７が電極組立体２０における負極端子３１への接続部となる。
【００１９】
正極導電部材２６には、電極端子としての正極端子３０が溶接されるとともに、負極導電部材２８には、電極端子としての負極端子３１が溶接されている。正極端子３０および負極端子３１は、それぞれ、円筒状の極柱部４０と、四角板状をなす基部４１を有する。基部４１の中央から極柱部４０が立設されている。極柱部４０の外周面に雄ねじ部４２を有する。
【００２０】
図１および図３に示すように、正極端子３０および負極端子３１の基部４１には、樹脂製の端子カバー５０が装着されている。また、基部４１の上にはＯリング５１が極柱部４０を取り囲む状態に設けられている。端子カバー５０により、ケース１１の蓋体１３と正極端子３０および負極端子３１が電気的に絶縁されているとともに、ケース本体１２と、正極端子３０および負極端子３１とが電気的に絶縁されている。さらに、端子カバー５０により、電極組立体２０と正極端子３０および負極端子３１とが電気的に絶縁されている。
【００２１】
正極端子３０および負極端子３１の極柱部４０は、ケース１１の内部から蓋体１３の透孔１４を貫通して蓋体１３の上方に突出（露出）している。透孔１４の内周面と、極柱部４０の外周面とは、絶縁部材５２によって絶縁されている。絶縁部材５２は、筒状部５３と、この筒状部５３の軸方向一端縁に設けられたフランジ部５４を有する。筒状部５３は、透孔１４の内周面と極柱部４０の外周面との間に介装されている。フランジ部５４は、ケース１１の蓋体１３の外面において透孔１４の周囲に係止されている。
【００２２】
正極端子３０の極柱部４０の雄ねじ部４２には正極端子用ナット５５が螺合されている。同様に、負極端子３１の極柱部４０の雄ねじ部４２には負極端子用ナット５６が螺合されている。また、ケース１１の蓋体１３の外面と、ナット５５，５６との間には、絶縁部材５２のフランジ部５４が挟圧され、フランジ部５４によってナット５５，５６と蓋体１３が絶縁されている。また、ナット５５，５６と基部４１との間に、絶縁部材５２のフランジ部５４、ケース１１の蓋体１３、Ｏリング５１および端子カバー５０が挟圧されるとともに正極端子３０および負極端子３１がケース１１の蓋体１３に固定されている。
【００２３】
正極端子３０および負極端子３１の極柱部４０の先端に、バスバー６０を締結するための雌ねじ４３ａを有する凹部４３が形成されている。図３に示すように、雌ねじ４３ａを有する凹部４３は、極柱部４０の上面に開口し、極柱部４０の軸方向に所定の深さとなっている。
【００２４】
このように、本実施形態の二次電池１０は、内部に電極組立体２０が収容されるケース１１と、ケース１１から突出し、先端にバスバー６０を固定するための雌ねじ４３ａを有する凹部４３が設けられた正極端子３０と、ケース１１から突出し、先端にバスバー６０を固定するための雌ねじ４３ａを有する凹部４３が設けられた負極端子３１と、を備えている。詳しくは、図８に示すように、複数の二次電池１０によって電池パック２００が構成され、二次電池１０の正極端子３０と隣り合う二次電池１０の負極端子３１とがバスバー６０を介して接続されている。
【００２５】
図１に示すように、二次電池１０同士を電気的に接続するバスバー６０は、矩形板状であり、一対の挿通部６１を有する。このバスバー６０は、ボルト６２によって正極端子３０および負極端子３１の極柱部４０に固定されている。ボルト６２は、凹部４３の雌ねじ４３ａに螺合する固定用雄ねじ部６３と、固定用雄ねじ部６３の軸方向一端の頭部６４とを有する。
【００２６】
以下に、本実施形態の二次電池１０における正極端子３０および負極端子３１の、誤組付け防止に関わる構造について詳しく説明する。
図４，５に示すように、正極端子３０の極柱部４０の凹部４３には、雌ねじ４３ａとともに回り止め用の嵌合部７０が形成されている。嵌合部７０は、凹部４３の開口部に設けた丸穴７６と、一対の切欠き（溝）７１，７２からなる。各切欠き７１，７２は、縦断面形状として、極柱部４０の上面に開口し、極柱部４０の軸方向に所定の深さとなっている。各切欠き７１，７２は、平面形状として、長方形をなし、Ｙ方向において丸穴７６から連続するように延びている。即ち、切欠き７１は、一端が丸穴７６に開口し、丸穴７６の中心から図４中、右側に延設されているとともに、切欠き７２は、一端が丸穴７６に開口し、丸穴７６の中心から図４中、左側に延設されている。
【００２７】
同様に、負極端子３１の極柱部４０の凹部４３には、雌ねじ４３ａとともに回り止め用の嵌合部７３が形成されている。嵌合部７３は、凹部４３の開口部に設けた丸穴７７と、一対の切欠き（溝）７４，７５からなる。各切欠き７４，７５は、縦断面形状として、極柱部４０の上面に開口し、極柱部４０の軸方向に所定の深さとなっている。各切欠き７４，７５は、平面形状として、長方形をなし、Ｘ方向において丸穴７７から連続するように延びている。即ち、切欠き７４は、一端が丸穴７７に開口し、丸穴７７の中心から図４中、上側に延設されているとともに、切欠き７５は、一端が丸穴７７に開口し、丸穴７７の中心から図４中、下側に延設されている。
【００２８】
このように、正極端子３０の回り止め用の嵌合部７０と負極端子３１の回り止め用の嵌合部７３とが非対称となっている。詳しくは、正極端子３０の回り止め用の嵌合部７０と負極端子３１の回り止め用の嵌合部７３とは、平面での向きが変えられており、これにより形状を異ならせて非対称となっている。つまり、正極端子３０の回り止め用の嵌合部７０と負極端子３１の回り止め用の嵌合部７３とを平面での向きとして、一方（切欠き７１，７２）をＹ方向に、他方（切欠き７４，７５）をＸ方向に延びる形状とすることにより平面での向き（位相）を変えることにより非対称としている。
【００２９】
図５に示すように、正極端子３０および負極端子３１の取付の際には治具１００，１１０が用いられる。治具１００と治具１１０とは、その上端側にて固定具Ｔにより相互に固定され、下端側が正極端子３０及び負極端子３１に挿入及び係合される。詳しくは、治具１００は、円柱部１０１と２枚の羽根部１０２，１０３を有している。円柱部１０１は立設した状態で使用され、正極端子３０の丸穴７６に挿入される。羽根部１０２，１０３は平板状をなし、円柱部１０１の下部において円柱部１０１の外周面から放射状に突設している。２枚の羽根部１０２，１０３は１８０度ずれた位置に設けられている。２枚の羽根部１０２，１０３は、円柱部１０１を正極端子３０の丸穴７６に挿入したとき、切欠き７１，７２に挿入される。
【００３０】
治具１１０は、円柱部１１１と２枚の羽根部１１２，１１３を有している。円柱部１１１は立設した状態で使用され、負極端子３１の丸穴７７に挿入される。羽根部１１２，１１３は平板状をなし、円柱部１１１の下部において円柱部１１１の外周面から放射状に突設している。２枚の羽根部１１２，１１３は１８０度ずれた位置に設けられている。２枚の羽根部１１２，１１３は、円柱部１１１を負極端子３１の丸穴７７に挿入したとき、切欠き７４，７５に挿入される。
【００３１】
このように、正極端子３０および負極端子３１の極柱部４０は、治具１００，１１０が係合する部位（嵌合部７０，７３）を備え、この部位に図６，７に示すように治具１００，１１０を挿入すると、治具１００，１１０が係合する。
【００３２】
次に、二次電池１０の製造方法について作用とともに説明する。
図５に示すように、正極導電部材２６および負極導電部材２８に、正極端子３０および負極端子３１の基部４１を溶接し、正極導電部材２６と正極端子３０を一体化するとともに、負極導電部材２８と負極端子３１を一体化する。そして、正極導電部材２６を、電極組立体２０の正極タブ群２５に溶接し、負極導電部材２８を、電極組立体２０の負極タブ群２７に溶接する。続いて、正極端子３０および負極端子３１にＯリング５１および端子カバー５０を装着する。引き続き、端子カバー５０上に蓋体１３を載せるとともに、透孔１４に極柱部４０を挿通させ、さらに、透孔１４の内周面と極柱部４０の外周面との間に絶縁部材５２を介装させる。この状態では、端子３０，３１の極柱部４０がケースの蓋体１３の透孔１４を通して蓋体１３から突出している。
【００３３】
次に、図６に示すように、正極端子３０および負極端子３１の各極柱部４０内に治具１００，１１０を挿入し、治具１００，１１０を嵌合部７０，７３に係合させ。そして、両治具１００，１１０を、図示しない工具等で回り止めした状態で極柱部４０の雄ねじ部４２にナット５５，５６を螺合する。この螺合の際、正極端子３０および負極端子３１は、ナット５５，５６に連れ回りしようとするが、各係合箇所において、回り止めされた治具１００，１１０により正極端子３０および負極端子３１が回転すること（連れ回り）が防止される。
【００３４】
その結果、ナット５５，５６によって、正極端子３０および負極端子３１がケース１１の蓋体１３に固定される。
この端子３０，３１を組み付ける際に、正極端子３０の回り止め用の嵌合部７０と負極端子３１の回り止め用の嵌合部７３とが非対称となっているので、端子３０，３１の誤組付が防止される。
【００３５】
詳しく説明する。
図１３は比較例である。この図１３に示すようにケースの蓋体１３の左右に配した正負の端子３０，３１が同一となっている。この場合に比べて、図４では切欠き（溝）７１，７２および切欠き（溝）７４，７５の向き（位相）を正極端子３０と負極端子３１で異ならせている。これにより、誤組み付けした場合、治具１００，１１０が組付不可となり、誤組付が検出できる。
【００３６】
つまり、図１３に示すように、端子の回り止め機能を持たせるべく切欠きを設ける際に、正極および負極ともに同じ向きに（同じ位相で）切欠きを形成すると、端子組付工程において正極端子と負極端子を逆にしたり、正極端子と負極端子を同じ部品を使用したりすると、治具が組付可能であるため、誤組付が発生する可能性がある。これに対し、図４に示した本実施形態では、端子組付工程において正極端子と負極端子を逆にしたり正極端子と負極端子を同じ部品を使用したりすると、治具１００，１１０を組み付けることができない。そのため、誤組付が認識できる。
【００３７】
引き続き、治具１００，１１０を極柱部４０から抜き取った後、電極組立体２０をケース本体１２内に収容するとともに、蓋体１３をケース本体１２に接合し、ケース１１を形成すると、二次電池１０が組立てられる。
【００３８】
その後、図８に示すように複数の二次電池１０を接続して電池パック２００を製造する場合は、ボルト６２の固定用雄ねじ部６３を、凹部４３の雌ねじ４３ａに螺合し、頭部６４によって、バスバー６０を極柱部４０の先端面に向けて押圧するとともに、挿通部６１の周囲を極柱部４０の先端面に押し付ける。すると、ボルト６２によってバスバー６０が正極端子３０および負極端子３１に固定され、バスバー６０によって、二次電池１０同士が電気的に接続されるとともに、電池パック２００が製造される。
【００３９】
上記実施形態によれば、以下のような効果を得ることができる。
（１）蓄電装置としての二次電池１０の構成として、正極端子３０の凹部４３に雌ねじ４３ａとともに回り止め用の嵌合部７０が形成されるとともに負極端子３１の凹部４３に雌ねじ４３ａとともに回り止め用の嵌合部７３が形成され、正極端子３０の嵌合部７０と負極端子３１の嵌合部７３とを非対称とした。これにより、正極端子３０の凹部４３に雌ねじ４３ａとともに回り止め用の嵌合部７０が形成されるとともに負極端子３１の凹部４３に雌ねじ４３ａとともに回り止め用の嵌合部７３が形成されているので、これら嵌合部７０，７３を用いて端子３０，３１を回り止めできる。また、正極端子３０の嵌合部７０と負極端子３１の嵌合部７３とが非対称となっているので、製造工程での端子３０，３１の誤組付を防止することができる。
【００４０】
（２）正極端子３０の回り止め用の嵌合部７０と負極端子３１の回り止め用の嵌合部７３とを平面での形状を異ならせることにより、容易に非対称とすることができる。
（３）正極端子３０の回り止め用の嵌合部７０と負極端子３１の回り止め用の嵌合部７３とを平面での向き（位相）を変えることにより形状を異ならせたので、容易に形状を異ならせることができる。
【００４１】
（４）正極端子３０の回り止め用の嵌合部７０および負極端子３１の回り止め用の嵌合部７３は、治具１００，１１０が嵌合する。これによれば、端子３０，３１を治具１００，１１０で支持する時に誤組付を防止することができる。
【００４２】
（５）治具１００，１１０は、ケース１１に正極端子３０および負極端子３１を締結する際に正極端子３０の回り止め用の嵌合部７０および負極端子３１の回り止め用の嵌合部７３に嵌合するものである。これによれば、ケース１１に正極端子３０および負極端子３１を締結する際に端子３０，３１を治具１００，１１０で支持する時に誤組付を防止することができる。
【００４３】
（６）正極端子３０の外周面に形成された雄ねじ部４２に螺入され、正極端子３０をケース１１に締結する正極端子用ナット５５と、負極端子３１の外周面に形成された雄ねじ部４２に螺入され、負極端子３１をケース１１に締結する負極端子用ナット５６と、を有する。これにより、容易にナット締結することができる。
【００４４】
実施形態は前記に限定されるものではなく、例えば、次のように具体化してもよい。
・図９に示すように、正極端子３０の凹部４３の開口部に平面視において正六角形の穴（溝）８１を有し、負極端子３１の凹部４３の開口部に平面視において正六角形の穴（溝）８３を有し、平面視において六角穴８１と六角穴８３とは向きが異なっている。つまり、正極端子３０の凹部４３に雌ねじ４３ａとともに回り止め用の嵌合部としての六角穴８１が形成され、負極端子３１の凹部４３に雌ねじ４３ａとともに回り止め用の嵌合部としての六角穴８３が形成されている。
【００４５】
そして、図１０に示すように、ナット５５，５６による端子３０，３１の締結の際には正極用治具１２０および負極用治具１２３を用いる。正極用治具１２０は、正極端子３０の六角穴８１に嵌る六角柱部１２１を有する。同様に、負極用治具１２３は、負極端子３１の六角穴８３に嵌る六角柱部１２４を有する。
【００４６】
・図１１における六角穴９１の深さＨ１と六角穴９３の深さＨ２とを変えることにより非対称としてもよい。詳しくは、正極端子３０の凹部４３の開口部に平面視において正六角形の穴（溝）９１を有し、負極端子３１の凹部４３の開口部に平面視において正六角形の穴（溝）９３を有し、平面視において六角穴９１と六角穴９３とは同一の向きとなっているが、深さＨ１，Ｈ２が異なっている。より詳しくは、六角穴９１の深さＨ１に比べて六角穴９３の深さＨ２が深くなっている。つまり、正極端子３０の凹部４３に雌ねじ４３ａとともに回り止め用の嵌合部としての六角穴９１が形成され、負極端子３１の凹部４３に雌ねじ４３ａとともに回り止め用の嵌合部としての六角穴９３が形成されている。
【００４７】
そして、図１２に示すように、ナット５５，５６による端子３０，３１の締結の際には正極用治具１３０および負極用治具１３３を用いる。正極用治具１３０は、正極端子３０の六角穴９１に嵌る六角柱部１３１を有する。同様に、負極用治具１３３は、負極端子３１の六角穴９３に嵌る六角柱部１３４を有する。このように六角穴９１の深さＨ１と六角穴９３の深さＨ２とを変えて組付時に六角穴（嵌合部）９１，９３に治具（棒材）１３０，１３３を差し込んでから組み付けるようにし、治具（棒材）１３０，１３３の入る深さを確認（測定する）。図１２の場合、治具（棒材）１３０，１３３の入る深さは、治具（棒材）１３０の入る深さに比べ治具（棒材）１３３は所定量ΔＨだけ深く入る。これにより、製造工程での端子の誤組付を防止することができる。
【００４８】
つまり、正極端子３０の回り止め用の六角穴（嵌合部）９１と負極端子３１の回り止め用の六角穴（嵌合部）９３とを縦断面での少なくとも一部の部位の深さ（Ｈ１，Ｈ２）を変えることにより非対称とすることもできる。
【００４９】
このように、回り止め用および誤組付防止用の嵌合部は、図４では切欠き（７１，７２，７４，７５）を用いているが、これに代わり図９，１１で示したように多角形の穴（８１，８３，９１，９３）等を用いることができる。詳しくは、図９のように多角形の穴（六角穴８１，８３）の場合、正負の端子３０，３１で六角穴（嵌合部）８１，８３の位相（向き）を変える。あるいは、図１１のように多角形の穴（六角穴９１，９３）の場合、正負の端子３０，３１で六角穴９１，９３の穴深さを変える。他にも、多角形の穴（六角穴）の場合、正負の端子３０，３１で穴の大きさ（サイズ）を変えてもよい。具体的には、図９での六角穴８１，８３の二面幅Ｗ１を変える。
【００５０】
・図９，１０では端子３０，３１の凹部４３の開口部に六角穴８１，８３を形成したが、端子３０，３１の凹部４３の底面に多角形の穴（六角穴等）を形成してもよい。同様に、図１１，１２では端子３０，３１の凹部４３の開口部に六角穴９１，９３を形成したが、端子３０，３１の凹部４３の底面に多角形の穴（六角穴等）を形成してもよい。
【００５１】
・図３，４，５，６では、治具１００，１１０が挿入される丸穴７６，７７および切欠き７１，７２，７４，７５が、雌ねじ４３ａより上方に形成されていたが、丸穴７６，７７を設けず、端子の先端より雌ねじを形成し、切欠きを雌ねじの上部に設けてもよい。このように、雌ねじと嵌合部が一部オーバーラップする構成でもよい。
【００５２】
・ナット締結で端子３０，３１をケースの蓋体１３に締結する場合について述べたが、他にも、例えば、ケース本体１２と蓋体１３を溶接する時において溶接熱により蓋体１３が変形するのを防止すべく端子３０，３１に設けた嵌合部に治具を嵌合させた状態で溶接を行って蓋体１３の変形を抑制することもできる。
【００５３】
より詳しくは、端子３０，３１をケースの蓋体１３に組み付けた後に、ケース本体１２と蓋体１３との溶接工程などで蓋体１３にひずみが生じる工程において、治具を用いて図４における片側の端子３１の嵌合部７３に治具（ピン）を差し込んで位置決めするとともに、片側の端子３０の嵌合部７０に治具を差し込んでＹ方向（図４の右方向）にスライドすることで、溶接時等に発生するひずみによる蓋体１３の回転を規制することができる。
【００５４】
他にも、例えば、ケースの蓋体１３の中心でなく中心からずれた位置に電解液を注入する注液口が設けられている場合において注液口をナット締めする際、あるいは、ブラインドリベットで組み付ける際に嵌合部７０，７３を利用してもよい。具体的には、二次電池の他部品を組み付ける際に治具を差し込んで誤組付を検出できる。また、電池パック（モジュール）を組み付ける際に嵌合部７０，７３で誤組付を検出してもよい。さらに、二次電池の運搬治具や（他部品の）組付治具が嵌合部７０，７３に合わないと正規に組み付かないようにしてもよい。
【００５５】
・端子３０，３１はケースの蓋体１３にナット締結したが、かしめにより端子３０，３１をケースの蓋体１３に固定してもよい。
・蓄電装置はニッケル水素二次電池や、電気二重層キャパシタとして具体化してもよい。
【符号の説明】
【００５６】
１０…二次電池、１１…ケース、２０…電極組立体、３０…正極端子、３１…負極端子、４３…凹部、４３ａ…雌ねじ、５５…ナット、５６…ナット、７０…嵌合部、７３…嵌合部、８１…六角穴、８３…六角穴、９１…六角穴、９３…六角穴、１００…治具、１１０…治具、１２０…治具、１２３…治具、１３０…治具、１３３…治具。
【図１】
2015072877.tif 000003
【図２】
2015072877.tif 000004
【図３】
2015072877.tif 000005
【図４】
2015072877.tif 000006
【図５】
2015072877.tif 000007
【図６】
2015072877.tif 000008
【図７】
2015072877.tif 000009
【図８】
2015072877.tif 000010
【図９】
2015072877.tif 000011
【図１０】
2015072877.tif 000012
【図１１】
2015072877.tif 000013
【図１２】
2015072877.tif 000014
【図１３】
2015072877.tif 000015